(57)【要約】      （修正有）【課題】対象物表面の質感を損なうことなく多数もしくは少なくとも複数の装飾粒のみを対象物表面に対し、簡単かつ美麗にデザイン配列した装飾用シートを提供する。【解決手段】裏面に粘着剤を施したタックフィルム１と、底面に粘着剤を塗布するとともに上端面をそれぞれ逆さ状態にてデザイン配列により上記タックフィルムの裏面に粘着保持させた少なくとも複数個の装飾粒３と、該装飾粒を挟んでタックフィルムの裏面に重合貼着された剥離シート５とからなる。これにより装飾対象物表面の性状・質感をそのままに表した状態にて簡単にしかも上質のデザイン性を有する装飾を施すことができる。なおこの場合に各装飾粒の底面に施された粘着剤が感熱性のものであれば、ガラスや金属等の平滑面のみならず、シャツや皮革、あるいは織物生地に対して、所謂ホットメルト法により十分な粘着強度にて装飾を施すことができる。【選択図】図１
0003142118.tif 000002
【実用新案登録請求の範囲】
【請求項１】
裏面に粘着剤を施したタックフィルムと、底面に粘着剤を塗布するとともに上端面をそれぞれ逆さ状態にてデザイン配列により上記タックフィルムの裏面に粘着保持させた少なくとも複数個の装飾粒と、該装飾体を挟んでタックフィルムの裏面に重合貼着された剥離シートとからなる装飾用シート。
【請求項２】
各装飾粒の底面に施された粘着剤が、感圧性粘着および感熱性粘着の両機能を備えたものであるところの請求項１に記載の装飾用シート。
【請求項３】
各装飾粒の底面に施された感圧性粘着および感熱性粘着の両機能を備えた粘着剤が、ホットメルト型感圧性粘着剤であるところの請求項２に記載の装飾用シート。
【請求項４】
タックフィルムが透明もしくは半透明であるところの請求項１〜３のいずれか１に記載の装飾用シート。
【考案の詳細な説明】
【技術分野】
【０００１】
本考案は、例えば車輌のリアウインドウ外側面、あるいは店舗のガラス外側面、家屋内壁面等、もしくはバッグや携帯電話その他の日常身の回り品における硬質面に貼用し、あるいはシャツその他の衣類、縫製品、織物類、皮革品等の表面に貼用して装飾を施すための装飾用シートに関し、装飾作業の簡便化とデザイン性の向上をはかることを目的とする。
【背景技術】
【０００２】
従来クリスタルガラスやスパンコール等の小粒の装飾体をプラスチックやガラス、金属類等の硬質面に多数個デザイン配列により貼着して装飾効果を得ることはおこなわれている。この場合には通常、クリスタルガラス等装飾体の底面に粘着剤を塗布し、これを１粒づつ手作業により多数個デザインレイアウトしながら密集状態に粘着させて最終的に目的とするデザインを得るものである。
【０００３】
しかしながら、上記の手作業による方法では多大な労力と時間を必要とし、また上質のデザイン効果を得難いという問題もあり、最近では基材シートを用い、この基材シート上にあらかじめ装飾模様を施すとともに、粘着層を介して該装飾模様に合わせて多数の装飾粒を貼着し、また上記基材シートの裏面に粘着層を介して剥離シートを貼り付けたものが知られている（実用新案登録第３１１０６９４号公報参照）。
【特許文献１】実用新案登録第３１１０６９４号公報
【考案の開示】
【考案が解決しようとする課題】
【０００４】
しかしながら、特許文献１に記載のものは、表面に装飾模様が描かれた基材シートを用い、該基材シートにあらわされた装飾模様の色彩と多数の装飾粒との相補的な関係において装飾されるようにしたもので、これを基材シートとともに携帯電話やライターなどの対象物に貼り付けて用いるようにしたために、多数の装飾粒によるデザイン性を保ったまま対象物にそのまま施すことができるという利点がある反面において、各装飾粒の周辺部における対象物自体の質感が隠されてしまい、折角の対象物の個性の一部を隠蔽してしまう結果となりあまり好評ではない。
【課題を解決するための手段】
【０００５】
そこで本考案にあっては、対象物表面の質感を損なうことなく多数もしくは少なくとも複数の装飾粒のみを対象物表面に対し、簡単かつ美麗にデザイン配列した状態にて貼着することができるようにしたものであって、具体的には裏面に粘着剤を施したタックフィルムと、底面に感圧性あるいは感熱性の粘着剤、又は感圧性および感熱性の両機能を備えたホットメルト型感圧性粘着剤を塗布するとともに上端面をそれぞれ逆さ状態にてデザイン配列により上記タックフィルムの裏面に粘着保持させた少なくとも複数個の装飾粒と、該装飾粒を挟んでタックフィルムの裏面に重合貼着された剥離シートとからなる装飾用シートに関する。
【考案の効果】
【０００６】
本考案は上記したように底面に感圧性あるいは感熱性の粘着剤、又は感圧性および感熱性の両機能を備えたホットメルト型感圧性粘着剤を塗布するとともに上端面をそれぞれ逆さ状態にてタックフィルム裏面の粘着面にデザイン配列した状態にて各装飾粒が貼着されているために、単にタックフィルム裏側の剥離シートを剥がしてその両端を持ち、これを対象物であるガラス面や金属面に押し当て、その後タックフィルムの上面から各装飾粒毎に指先で圧迫し、あるいは平坦な面にて装飾粒を纏めて圧迫することにより粘着させる。
【０００７】
さらにその後上記のタックフィルムを各装飾粒より引き剥がして除去すことにより、装飾対象物表面の性状・質感をそのままに表した状態にて簡単にしかも上質のデザイン性を有する装飾を施すことができる。なおこの場合に各装飾粒の底面に施された粘着剤が感圧性および感熱性の両機能を備えたホットメルト型感圧性粘着剤である場合においては、ガラスや金属等の平滑面のみならず、シャツや皮革、あるいは織物生地に対して、所謂ホットメルト法により十分な粘着強度にて装飾を施すことができる。
【考案を実施するための最良の形態】
【０００８】
以下において本考案の具体的な内容を、図１および図２にあらわした実施例をもとに説明をすると、１はタックフィルム、３は装飾粒、５は剥離シートをあらわしている。タックフィルム１は、例えばポリエチレン系樹脂あるいは耐熱性のあるポリエステル系樹脂などの柔軟性のあるシートが用いられ、本実施例で使用されるものにおいては透明のものが用いられている。さらにタックフィルム１の裏面には粘着剤２が施されている。
【０００９】
ここで使用される粘着剤２については、多数の装飾粒３をそれぞれ逆さ状態にてタックフィルム１に十分に付着保持させ、対象物に転写的に付着させた後、タックフィルム１を除去する際に、付着させた装飾粒３が対象物から剥がれ落ちない程度に比較的弱く粘着保持させる程度の感圧性のものがよい。そのようなものとして例示すると、例えば東洋インキ株式会社のサイアバイン（登録商標）やオリバイン（登録商標）がある。サイアバインはウレタン系の粘着材で、一般的なアクリル系の粘着材に比べて特に再剥離製に優れている。これらの粘着材をあらかじめタックフィルムの裏面に全面にわたり薄く塗布することにより用いることができる。また既知の粘着剤のうち、１００ｍＮ〜１，０００ｍＮ／２５ｍｍ程度の中剥離性のものであれば上記の粘着剤２として用いることができる。
【００１０】
装飾粒３は、本実施例においてはクリスタルガラスが用いられているが、必ずしもこれに限られるものではなく、水晶やトパーズなどの光輝石類その他装飾に役立つものであればいずれも使用可能である。本実施例で使用される装飾粒３は底面が平坦で立ち上がり周囲側面がダイヤ状の多面体からなるものであり、上端面が小面積の平坦面であり、側面から上端面にかけて傾斜状（断面が略台形状）のものが使用されている。
【００１１】
さらに装飾粒３の底面には予め粘着剤４が塗布されている。この粘着剤４は、記述したサイアバインやオリバイン等その他の感圧性粘着材を厚手に塗布したものでもよい。またここで用いられる粘着剤について感圧性と感熱性とを兼備したものを使用すると、多数の装飾粒３をデザイン付着させる対象物として、前記したガラスやプラスチック等の硬質材のみならず、シャツその他の衣類、縫製品、織物類、皮革品等の表面に対しても、加熱溶融により流動性を付与して接着させる所謂ホットメルト法により施すことも可能となる。
【００１２】
感圧性と感熱性とを兼備した粘着剤としては、従来汎用されている各種の粘着剤のうち、アクリル系、ウレタン系合成ゴム系等の粘着性に優れたもので、しかも剥離性に優れ、また熱を加えることにより感熱接着力を発揮できるものがよい。なかでもアクリル系ホットメルト型粘着剤の使用が好ましく、具体例としては例えば日本エヌエスシー株式会社の商品名「ヂュロタックＰＺシリーズ」等でもよく、また日本合成化学工業株式会社の商品名「ニチゴーポリエスター」を薄めて用いてもよい。
【００１３】
またノーテープ工業株式会社の商品名「アクリメルト」や、あるいはポリエチレンとガーゼ繊維の熱複合物を基材とし、ビニール面に離型剤を塗布し、繊維面にホットメルト型感圧性接着剤を塗布した上海永冠膠粘製品有限公司の布状テープ、ブランド名「ＹＧ」なども使用可能である。さらに特許２７３０９８６号、あるいは特許２７４３２８８号の公報明細書に記載されたホットメルト型感圧粘着剤を施すことによっても実現することができる。
【００１４】
またここで用いる感熱性の接着剤としては、単に熱可塑性ポリマーをベースとした接着性の混合物等の既知の樹脂系感熱性接着剤を用いることもできる。この場合には感圧接着力には多少劣るものの多数の装飾粒３を衣類、縫製品、織物類、皮革品等の表面に施す際に加熱しなければ、単に衣類などの表面に接着固定せずに押圧するだけでシールとして粘着保持させて使用することもでき、後日簡単にこれを剥がすことも可能となる。
【００１５】
剥離シート５は、タックフィルム１の裏面に施されている粘着剤の汚れを防止するとともに、タックフィルム１の裏面にデザイン保持されている装飾粒３を保護する目的でタックフィルム１の裏面に重合されるものであり、タックフィルム１に対して仮粘着状態で付着し、しかもそれ自体には粘着剤等が施されておらず、また粘着剤４との相互作用が小さく、タックフィルム１から剥離シート５を剥がす際に多数の装飾粒３の底面に施されている粘着剤４等とも簡単に剥離し、タックフィルム１を剥がす際に装飾粒３がタックフィルム１の裏面から落下するなどの障害にならない材質である必要がある。
【００１６】
このような機能を備えた剥離シート５用の好ましい材質としては、１００ｍＮ以下／２５ｍｍ程度の軽剥離性のもの、例えば紙や表面にシリコーン処理を施した各種の樹脂シート等がある。なお上記の実施例ではタックフィルム１について透明のものを使用したが、半透明または不透明の着色材フィルムであってもよい。
【００１７】
上記した本考案の構成において、まずタックフィルム１の裏面側の剥離シート５を剥がし、タックフィルム１の両端部を持って装飾粒３が保持されている側を、目的とする対象物の表面上に位置合わせして重ね、次いでタックフィルム１の表面側から各装飾粒３の部分を対象物に対して十分に押圧して粘着させる。この場合に面状の押圧材を用いると各装飾粒３を同時的に対象物に対して粘着させることができるので効率的である。各装飾粒３を対象物に対して十分に押圧して粘着させた後、タックフィルム１をそれぞれの装飾粒３の上端面から引き剥がして装飾作業を完了する。
【００１８】
また各装飾粒の底面に施された粘着剤４が、感熱性のホットメルト接着剤である場合においては、タックフィルム１の両端部を持って装飾粒３が保持されている側を、目的とする対象物の表面上に位置合わせして重ねた後、タックフィルム１の表面側からアイロンなどの加熱用具を用いて各装飾粒３の部分を対象物に対して押圧するとともに加熱し、粘着剤４を溶融流動化させて繊維等内に浸み込ませて接着する。
【図面の簡単な説明】
【００１９】
【図１】本考案の一実施例である装飾用シートであって、タックシートの一部を裏側の剥離シートから剥離させた状態の平面図。
【図２】図１の一部分を拡大してあらわした断面図。
【符号の説明】
【００２０】
１      タックフィルム
２      粘着剤
３      装飾粒
４      粘着剤
５      剥離シート
【図１】
0003142118.tif 000003
【図２】
0003142118.tif 000004